(57)【要約】【課題】再生装置と表示装置との間で３Ｄ映像の方式が異なる場合でも、表示装置に表示されているＯＳＤ表示の情報をユーザが正しく判別することが可能な再生装置を提供することを目的とする。【解決手段】ＯＳＤ表示画像を作成するＯＳＤ作成部２１０と、映像信号とＯＳＤ作成部２１０が作成したＯＳＤ表示画像とを合成するＯＳＤ合成部２０５と、ＯＳＤ合成部２０５でＯＳＤ表示画像が合成された映像信号を再生装置１０１の外部の立体表示可能な表示装置１０２へ出力可能なＨＤＭＩ出力部２０６と、を備え、ＯＳＤ合成部２０５は、再生装置１０１における３Ｄ画像の出力方式の設定がトップアンドボトム方式の場合は、ＯＳＤ合成部２０５に入力された映像における該映像を左右に２分する中心線を跨がない位置にＯＳＤ表示画像を配置する。【選択図】図２
2011172216.tif 000002
【特許請求の範囲】
【請求項１】
ＯＳＤ表示画像を作成するＯＳＤ作成部と、
映像と前記ＯＳＤ作成部が作成したＯＳＤ表示画像とを合成するＯＳＤ合成部と、
前記ＯＳＤ合成部で前記ＯＳＤ表示画像が合成された映像の信号を自装置の外部の立体表示可能な表示装置へ出力可能な出力部と、
を備え、
前記ＯＳＤ合成部は、自装置における３Ｄ画像の出力方式の設定がトップアンドボトム方式の場合は、前記ＯＳＤ合成部に入力された映像における該映像を左右に２分する中心線を跨がない位置に前記ＯＳＤ表示画像を配置する再生装置。
【請求項２】
ＯＳＤ表示画像を作成するＯＳＤ作成部と、
映像と前記ＯＳＤ作成部が作成したＯＳＤ表示画像とを合成するＯＳＤ合成部と、
前記ＯＳＤ合成部で前記ＯＳＤ表示画像が合成された映像の信号を自装置の外部の立体表示可能な表示装置へ出力可能な出力部と、
を備え、
前記ＯＳＤ合成部は、自装置における３Ｄ画像の出力方式の設定がサイドバイサイド方式の場合は、前記ＯＳＤ合成部に入力された映像における該映像を上下に２分する中心線を跨がない位置に前記ＯＳＤ表示画像を配置する、再生装置。
【請求項３】
前記ＯＳＤ合成部は、前記ＯＳＤ合成部に入力された映像における該映像を左右に２分する中心線を跨がない位置で、かつ前記映像における該映像を上下に２分する中心線を跨がない位置に前記ＯＳＤ表示画像を配置する、請求項１または２に記載の再生装置。
【請求項４】
前記ＯＳＤ合成部は、前記ＯＳＤ表示画像を前記映像における第１の位置と第２の位置の少なくとも２箇所に合成し、前記表示装置の表示画面に前記出力部から出力された映像が立体表示される場合に、前記第１の位置に合成された前記ＯＳＤ表示画像と、前記第２の位置に合成された前記ＯＳＤ表示画像とが、同じ位置に表示されるように合成する、請求項１または２に記載の再生装置。
【請求項５】
前記ＯＳＤ表示画像は、文字情報を含むことを特徴とする請求項１または２に記載の再生装置。
【請求項６】
サイドバイサイド方式の画像およびトップアンドボトム方式の画像を記憶するメモリを備え、
前記ＯＳＤ合成部が前記ＯＳＤ表示画像と合成する前記映像は、前記メモリに記憶されたサイドバイサイド方式の画像またはトップアンドボトム方式の画像から作成される、請求項１または２に記載の再生装置。
【請求項７】
ユーザによるテスト画像表示の指示を受け付ける受付部をさらに備え、
前記受付部が、ユーザによるテスト画像表示の指示を受け付けた場合に、前記出力部は前記ＯＳＤ合成部で合成された画像を自装置の外部の表示装置へ出力する、請求項６に記載の再生装置。
【発明の詳細な説明】
【技術分野】
【０００１】
本発明は、左右の視差を有する２つの画像信号により立体視を可能とする立体テレビ等のような再生装置に関する技術である。
【背景技術】
【０００２】
近年、立体映像を表示できる３Ｄテレビの技術が急速に進んでいる。例えば、映画館で３Ｄの映画が上映されたり、ＢＳデジタル放送において一部の放送局にて３Ｄ放送を試験的に実施されたりしている。一方、３Ｄテレビについても、一部のメーカからすでに商品化されており、一般家庭における３Ｄの視聴環境が整いつつある。３Ｄテレビの視聴方法としては、大きく分けて２つの方法がある。裸眼で視聴する方法と、専用のメガネをかけて視聴する方法である。
【０００３】
裸眼で視聴する方法として、例えば、特許文献１や特許文献２に開示されているような、パララックスバリア方式やレンティキュラ方式がある。裸眼で視聴する方式の問題点として、パララックスバリア方式では、視聴するための位置が限定されたり、バリアが目障りだったりすることが知られている。一方、レンティキュラ方式では、解像度が著しく低下したり、レンズが目障りだったりすることが知られている。
【０００４】
専用のメガネをかけて視聴する方法として、例えば、特許文献３に開示されているようなテレビに特殊なフィルムを貼り付けて偏光メガネを用いて視聴する方法や、特許文献４や特許文献５に開示されているような液晶シャッターメガネを用いて視聴する方法がある。
【０００５】
３Ｄ映像の方式として大きく分けて２つの方式が存在する。１つ目の方式は、１枚の映像の中に左目用映像と右目用映像を縮小・間引きして合成する方式である。もうひとつの方式は、１枚の左目用映像と１枚の右目用映像とを時間的に交互に配置する方式である。
【０００６】
１枚の映像の中に左目用映像と右目用映像を縮小・間引きして合成する方式の代表的なものとして、トップアンドボトム方式とサイドバイサイド方式がある。トップアンドボトム方式は、もともと１９２０×１０８０の画素数の左目用映像及び右目用映像を、各々垂直方向（上下方向）に対して画素を間引くことにより画素数が半分の１９２０×５４０の映像を生成し、このようにして生成された画素数が半分の左目用映像と右目用映像を結合して１９２０×１０８０の１つの映像を生成する方式である。サイドバイサイド方式は、１９２０×１０８０の画素数の左目用映像及び右目用映像を、各々水平方向に対して画素を間引くことにより画素数が半分の９６０×１０８０の映像を生成し、このようにして生成された画素数が半分の左目用映像と右目用映像を結合して１９２０×１０８０の１つの映像を生成する方式である。この他に、チェッカー方式がある。チェッカー方式は、各々１９２０×１０８０の左目用映像及び右目用映像の画素を、各々水平方向および垂直方向に１画素おきに間引きつつ、左目用映像の画素と右目用映像の画素とを１画素ずつ交互に配置する。つまり格子状の市松模様のように左目用映像と右目用映像を構成する画素を配置し、これにより、左目用映像と右目用映像を合成して１９２０×１０８０の１つの映像を生成する方式である。このほか、ラインバイライン方式がある。ラインバイライン方式は、各々１０８０ラインの左目用映像と右目用映像のラインを１ラインおきに間引きつつ、左目用映像を構成するラインと右目用映像を構成するラインを交互に配置し、これにより、左目用映像と右目用映像を合成して１０８０ラインの１つの映像を生成する方式である。
【０００７】
このように、３Ｄ映像の方式としては種々の方式が存在している。したがって、３Ｄ映像を再生する再生装置においては、表示装置における３Ｄ映像の入力方式に合わせて出力を行う必要がある。表示装置における３Ｄ映像の入力方式に合わせてフォーマット変換して出力する技術については例えば特許文献６に開示されている。
【先行技術文献】
【特許文献】
【０００８】
【特許文献１】特開平９−４３５４０号公報
【特許文献２】特開平９−３１８９１１号公報
【特許文献３】特許第３７９６４１４号公報
【特許文献４】特開平６−２５４０４６号公報
【特許文献５】特開平７−３３６７２９号公報
【特許文献６】特開２００６−３３８５１号公報
【発明の概要】
【発明が解決しようとする課題】
【０００９】
再生装置や表示装置において３Ｄ映像の方式をユーザが設定可能になっている場合、再生装置や表示装置における３Ｄ映像の方式を誤って異なる方式に設定すると、表示装置に３Ｄ映像が正しく表示されないという問題がある。
【００１０】
そこで、再生装置が再生している方式を通知等するための、機器操作用の表示（以下「ＯＳＤ表示」と称す）を映像に重畳して表示させることが考えられる。しかし、この場合でも、以下のような問題が生じる。
【００１１】
たとえば、表示装置の３Ｄの表示方式がトップアンドボトム方式に設定され、再生装置の出力方式がサイドバイサイド方式に設定されている場合を想定する。図１０は、このような場合を説明する図である。具体的には、図１０（ａ）は表示すべき３Ｄ画像を示した図、図１０（ｂ）はサイドバイサイド方式のテストパターン画像を示した図、図１０（ｃ）はサイドバイサイド方式のテストパターン画像とＯＳＤ表示画像とを重畳した画像を示した図、図１０（ｄ）は表示装置の設定がトップアンドボトム方式の場合に表示装置に表示される左目用の画像を示した図、図１０（ｅ）は表示装置の設定がトップアンドボトム方式の場合に表示装置に表示される右目用の画像を示した図、図１０（ｆ）は表示装置の設定がトップアンドボトム方式の場合にユーザにより視認される画像（図１０（ｄ）に示す画像と図１０（ｅ）に示す画像を時間的に合成した画像。以下適宜「テスト画像」という）を示した図である。再生装置の出力が誤ってサイドバイサイド方式に設定された場合、図１０（ｃ）に示す表示画像が、図１０（ｄ）、（ｅ）に示すように上半分と下半分に分割され、分割された画像がそれぞれ上下方向に２倍に拡大される。そして、これらの拡大された画像同士が重畳されることにより、図１０（ｆ）に示すような画像がユーザにより視認される。この画像では、ＯＳＤ表示を構成する文字が上下に分離され、ＯＳＤ表示のメッセージの判読が困難になってしまう。
【００１２】
また、表示装置の３Ｄの表示方式がサイドバイサイド方式に設定され、再生装置の出力方式がトップアンドボトム方式に設定されている場合を想定する。図１１は、このような場合を説明する図である。具体的には、図１１（ａ）は表示すべき３Ｄ画像を示した図、図１１（ｂ）はトップアンドボトム方式のテストパターン画像を示した図、図１１（ｃ）はトップアンドボトム方式のテストパターン画像とＯＳＤ表示画像とを重畳した画像を示した図、図１１（ｄ）は表示装置の設定がサイドバイサイド方式の場合に表示装置に表示される左目用の画像を示した図、図１１（ｅ）は表示装置の設定がサイドバイサイド方式の場合に表示装置に表示される右目用の画像を示した図、図１１（ｆ）は表示装置の設定がサイドバイサイド方式の場合にユーザにより視認されるテスト画像（（図１１（ｄ）に示す画像と図１１（ｅ）に示す画像を合成した画像）を示した図である。再生装置の出力方式が誤ってトップアンドボトム方式に設定された場合、図１１（ｃ）に示す表示画像が図１１（ｄ）、（ｅ）に示すように左半分と右半分に分割され、分割された画像がそれぞれ水平方向に２倍に拡大される。そして、これらの拡大された画像同士が重畳されることにより、図１１（ｆ）に示すような画像がユーザにより視認される。この画像では、ＯＳＤ表示を構成する文字同士が重なってしまい、ＯＳＤ表示のメッセージの判読が困難になってしまう。
【００１３】
以上のように、再生装置や表示装置において３Ｄ映像の方式をユーザが設定可能になっている場合、再生装置や表示装置における３Ｄ映像の方式を誤って異なる方式に設定すると、ＯＳＤ表示を行った場合でも、ＯＳＤ表示のメッセージの判読が困難になる場合がある。
【００１４】
上記課題を解決するため、再生装置と表示装置との間で３Ｄ映像の方式が異なる場合でも、表示装置に表示されているＯＳＤ表示の情報をユーザが正しく判別することが可能な再生装置を提供することを目的とする。
【課題を解決するための手段】
【００１５】
第１の態様の再生装置は、ＯＳＤ表示画像を作成するＯＳＤ作成部と、映像とＯＳＤ作成部が作成したＯＳＤ表示画像とを合成するＯＳＤ合成部と、ＯＳＤ合成部でＯＳＤ表示画像が合成された映像の信号を自装置の外部の立体表示可能な表示装置へ出力可能な出力部と、を備え、ＯＳＤ合成部は、自装置における３Ｄ映像の出力方式の設定がトップアンドボトム方式の場合は、ＯＳＤ合成部に入力された映像における該映像を左右に２分する中心線を跨がない位置にＯＳＤ表示画像を配置する。
【００１６】
第２の態様の再生装置は、ＯＳＤ表示画像を作成するＯＳＤ作成部と、映像とＯＳＤ作成部が作成したＯＳＤ表示画像とを合成するＯＳＤ合成部と、ＯＳＤ合成部でＯＳＤ表示画像が合成された映像の信号を自装置の外部の立体表示可能な表示装置へ出力可能な出力部と、を備え、ＯＳＤ合成部は、自装置における３Ｄ映像の出力方式の設定がサイドバイサイド方式の場合は、ＯＳＤ合成部に入力された映像における該映像を上下に２分する中心線を跨がない位置にＯＳＤ表示画像を配置する。
【発明の効果】
【００１７】
第１の態様の再生装置によれば、自装置における３Ｄ映像の出力方式の設定がトップアンドボトム方式の場合は、入力された映像における該映像を左右に２分する中心線を跨がない位置にＯＳＤ表示画像が合成される。このような構成において、例えば表示装置における３Ｄ方式の設定がサイドバイサイド方式になっている場合、表示装置には、入力された映像の右半分と左半分の領域の映像が重畳された映像が表示される。ここで、仮に、入力された映像における該映像を左右に２分する中心線を跨がって、換言すれば、入力された映像の右半分と左半分の領域にまたがってＯＳＤ表示画像が合成されているものとした場合、入力された映像の右半分と左半分の領域の映像が重畳されると、ＯＳＤ表示画像における右半分の領域の部分と左半分の領域の部分とが重畳され、ＯＳＤ表示、特に文字等を判読できない場合が生じ得る。しかし、第１の態様では、自装置における３Ｄ映像の出力方式の設定がトップアンドボトム方式の場合は、ＯＳＤ合成部に入力された映像における該映像を左右に２分する中心線を跨がない位置にＯＳＤ表示画像を配置する。そのため、ＯＳＤ表示画像における右半分の領域と左半分の領域とが重畳された場合でも、ＯＳＤ表示画像については重畳されることはなく、ＯＳＤ表示を判読することができる。
【００１８】
第２の態様の再生装置によれば、自装置における３Ｄ映像の出力方式の設定がサイドバイサイド方式の場合は、入力された映像における該映像を上下に２分する中心線を跨がない位置にＯＳＤ表示画像が合成される。このような構成において、例えば表示装置における３Ｄ方式の設定がトップアンドボトム方式になっている場合、表示装置には、入力された映像の上半分と下半分の領域の映像が重畳された映像が表示される。ここで、仮に、入力された映像における該映像を上下に２分する中心線を跨がって、換言すれば、入力された映像の上半分と下半分の領域にまたがってＯＳＤ表示画像が合成されているものとした場合、入力された映像の上半分と下半分の領域の映像が重畳されると、ＯＳＤ表示画像における上半分の領域の部分と下半分の領域の部分とが重畳され、ＯＳＤ表示、特に文字等を判読できない場合が生じ得る。しかし、第１の態様では、自装置における３Ｄ映像の出力方式の設定がサイドバイサイド方式の場合は、ＯＳＤ合成部に入力された映像における該映像を上下に２分する中心線を跨がない位置にＯＳＤ表示画像を配置する。そのため、ＯＳＤ表示画像における上半分の領域と下半分の領域とが重畳された場合でも、ＯＳＤ表示画像については重畳されることはなく、ＯＳＤ表示を判読することができる。
【００１９】
このように、各態様によれば、再生装置と表示装置との間で３Ｄ映像の方式が異なる場合でも、表示装置に表示されているＯＳＤ表示の情報をユーザが正しく判別することが可能な再生装置を提供することができる。
【図面の簡単な説明】
【００２０】
【図１】実施の形態１におけるシステムの構成図
【図２】実施の形態１における再生装置の構成図
【図３】実施の形態１におけるテスト画像出力のフローチャート
【図４】実施の形態１におけるサイドバイサイド方式での出力画面の説明図。
【図５】実施の形態１において、サイドバイサイド方式の表示装置へ誤ってトップアンドボトム方式で出力した場合の出力画面の説明図
【図６】実施の形態１におけるトップアンドボトム方式での表示装置の出力画面の説明図
【図７】実施の形態１において、トップアンドボトム方式の表示装置へ誤ってサイドバイサイド方式で出力した場合の出力画面の説明図
【図８】他の実施の形態におけるディスクの構成図
【図９】他の実施の形態において、表示装置へ２Ｄ方式で出力した場合の出力画面の説明図
【図１０】従来の、誤ってサイドバイサイド方式で出力した場合の出力画面の説明図
【図１１】従来の、誤ってトップアンドボトム方式で出力した場合の出力画面の説明図
【発明を実施するための形態】
【００２１】
以下、図面を参照して実施の形態について説明する。
【００２２】
実施の形態１
１．構成
本実施の形態における立体画像装置の方式として専用メガネを使用する方式を例として説明する。図１は、本実施の形態における立体画像装置のシステム全体の構成を示す。立体画像装置のシステムは、再生装置１０１と、表示装置１０２と、３Ｄメガネ１０３とを含む。
【００２３】
再生装置１０１は、３Ｄコンテンツ（例えば３Ｄ対応のブルーレイディスクのコンテンツ）を再生する。再生装置１０１は、表示装置１０２にＨＤＭＩケーブル等を介して接続され、再生した映像を表示装置１０２に表示可能である。再生装置１０１は、複数の異なる３Ｄの出力方式に対応している。本実施の形態において、再生装置１０１は一例としてトップアンドボトム方式及びサイドバイサイド方式に対応しているものとする。
【００２４】
表示装置１０２は、再生装置１０１から出力される３Ｄ映像信号を入力し、３Ｄ映像を表示する。３Ｄメガネ１０３は再生装置１０１に対応する専用のメガネであり、ユーザは３Ｄメガネ１０３を装着して３Ｄコンテンツを鑑賞する。３Ｄメガネ１０３は例えば液晶シャッター方式のメガネである。表示装置１０２は左目用映像と右目用映像を時間的に交互に出力する。３Ｄメガネ１０３は、表示装置１０２で出力される左目用映像と右目用映像に同期して左右のシャッターを開閉する。なお、表示装置１０２及び３Ｄメガネ１０３は、液晶シャッター方式でなく、背景技術で紹介した他の方式であってもよい。
【００２５】
図２は、本実施の形態における再生装置１０１の内部の構成を示す。再生装置１０１は、ディスクドライブ部２０２、デコーダ２０３、方式変換部２０４、ＯＳＤ合成部２０５、ＨＤＭＩ出力部２０６、ＣＰＵ２０７、リモコン信号受信部２０８、メモリ２０９、及びＯＳＤ作成部２１０を有する。３Ｄコンテンツを再生する場合、まず、ディスクドライブ部２０２は、ディスク２０１の信号を読み取り、デコーダ２０３へ出力する。デコーダ２０３は、ディスク２０１から読み取られた信号をデコードする。デコーダ２０３は、圧縮された映像音声信号を伸張して、３Ｄの映像信号と音声信号を出力する。方式変換部２０４には、デコーダ２０３でデコードされて出力された３Ｄの映像信号が入力される。方式変換部２０４は、３Ｄの映像信号をユーザにより設定された３Ｄ映像の出力方式に応じた方式の映像に変換する。また、方式変換部２０４は音声信号については変換せずにそのまま出力する。
【００２６】
ＯＳＤ作成部２１０は、ＣＰＵ２０７の指示に基づき、機器の操作用の表示画像（ＯＳＤ表示画像）用のデータを生成する。ＯＳＤ表示画像は、例えば「テレビの設定を３Ｄにして下さい」という文字情報を含む。ＯＳＤ表示画像は、これらの文字情報を配置可能な程度のサイズの例えば矩形形状の画像である。ＯＳＤ合成部２０５は、方式変換部２０４で変換した３Ｄ映像とＯＳＤ作成部２１０で生成したＯＳＤ表示画像とを合成し、ＨＤＭＩ出力部２０６へ出力する。ＯＳＤ合成部２０５は、メモリ２０９に記憶されている画像データとＯＳＤ作成部２１０で生成したＯＳＤ表示画像とを合成して出力することも可能である。ＯＳＤ合成部２０５は、音声信号については変換せずにそのまま出力する。
【００２７】
ＨＤＭＩ出力部２０６は、ＯＳＤ合成部２０５より入力された映像信号と音声信号を表示装置１０２へ出力する。
【００２８】
メモリ２０９はテストパターン画像のデータを格納する。テストパターン画像とは、再生装置１０１から出力した映像を表示装置１０２において正しく視聴することができるかどうかを確認するための画像である。再生装置１０１における３Ｄ映像の出力方式は、ユーザが設定することができる。本実施の形態では、テストパターン画像のデータとして、トップアンドボトム方式用のものと、サイドバイサイド方式用のものを格納している。ユーザにより出力方式が、現在設定されている出力方式とは異なる出力方式へ変更された場合、ＣＰＵ２０７は、ユーザが確認可能なように、新たに設定された出力方式に対応するテストパターン画像をメモリ２０９から出力させ、この出力されたテストパターン画像とＯＳＤ表示画像をＯＳＤ合成部２０５で合成してＨＤＭＩ出力部２０６へ出力する。テストパターン画像のデータを出力しているときは、ＯＳＤ合成部２０５は方式変換部２０４からの映像出力は合成しない。なお、ＯＳＤ合成部２０５は、方式変換部２０４で方式変換された後にＯＳＤ表示画像を合成するという構成としたが、ＯＳＤ表示画像を合成してから方式変換するという構成でもよい。つまりＯＳＤ合成部２０５でＯＳＤ表示画像を合成した後、方式変換部２０４で対応した出力方式に変換してもよい。この場合、メモリ２０９に格納するパターンとしては、左目用パターンと右目用パターンの２つがあればよい。
【００２９】
リモコン信号受信部２０８は、リモコン信号を受信する。
【００３０】
ＣＰＵ２０７は、以上説明した各構成要素を制御するためのものである。ＣＰＵ２０７は、リモコン信号受信部２０８で受信されたリモコン信号を入力する。ＣＰＵ２０７は、リモコン信号に応じて、つまりユーザによる再生装置１０１への操作内容に応じて、上記各構成要素を制御する。ユーザはリモコン操作を通して、３Ｄの出力方式の設定、テストパターン画像の確認や、３Ｄコンテンツの再生を行うことが出来る。
【００３１】
２．動作
以上のように構成した本実施の形態の再生装置１０１からテストパターン画像を出力する手順について図３を用いて説明する。まず、再生装置１０１のＣＰＵ２０７は、テストパターン画像の出力を行うかどうかをユーザに問い合わせるための誘導画面を出画し、ユーザからの実行指示を受け付ける（Ｓ３０１）。ＣＰＵ２０７は、現在設定されている３Ｄ映像の出力方式を判別する（Ｓ３０２）。現在設定されている出力方式はＣＰＵ２０７が記憶している。現在設定されている出力方式がサイドバイサイド方式である場合、ＣＰＵ２０７は、メモリ２０９からサイドバイサイド方式用のテストパターン画像とＯＳＤ表示画像のデータを読み出す（Ｓ３０３）。現在設定されている出力方式がトップアンドボトム方式である場合、メモリ２０９からトップアンドボトム方式用のテストパターン画像とＯＳＤ表示画像のデータを読み出す（Ｓ３０４）。次に、設定されている出力方式に応じてＯＳＤ表示画像の合成位置を設定する（Ｓ３０５）。
【００３２】
ここで、トップアンドボトム方式でのＯＳＤ表示画像の合成位置について説明する。図５（ｃ）において、トップアンドボトム方式でのＯＳＤ表示では、ＯＳＤ表示は、テストパターン画像における該映像を左右に２分する中心線を跨がない位置に、具体的には、本実施形態ではテストパターン画像の左半分（又は、右半分）の領域に配置するようにする（図５（ｃ）参照）。これにより、表示装置１０２で水平方向に２倍に拡大したときに、ＯＳＤ表示が画面の端で切れたり、折り返して重なったりすることがなくなる。
【００３３】
一方、サイドバイサイド方式のＯＳＤ表示では、テストパターン画像における該映像を上下に２分する中心線を跨がない位置に、具体的には、本実施形態ではテストパターン画像の下半分（又は、上半分）の領域に配置するようにする（図７（ｃ）参照）。これにより、表示装置１０２で上下方向に２倍に拡大したときに、ＯＳＤ表示が上下に分離することがなくなる。
【００３４】
以上のようにＯＳＤ表示画像の合成位置を設定することで、後述するように、再生装置と表示装置との間の映像の方式が異なった場合でも、ユーザが正しく理解できるＯＳＤ表示を実現できる。
【００３５】
ＯＳＤ表示画像の合成位置を設定後、読み出したテストパターン画像とＯＳＤ表示画像とをＯＳＤ合成部２０５で合成する（Ｓ３０６）。合成した画像をＨＤＭＩ出力部２０６を介して表示装置１０２に出力する（Ｓ３０７）。
【００３６】
２．１  具体的な動作例
以上のような手順で出力されるテストパターン画像について方式毎に具体的に説明する。
【００３７】
２．１．１  再生装置がサイドバイサイド方式、表示装置がサイドバイサイド方式の例
図４は、再生装置１０１の出力の設定がサイドバイサイド方式であり、表示装置１０２の表示の設定がサイドバイサイド方式である場合のテストパターン画像の出画の様子を示す。このように再生装置１０１の３Ｄ映像方式と表示装置１０２の３Ｄ映像方式は合致している。
【００３８】
図４（ａ）はテストパターン画像のデータにより表示されるべき３Ｄ画像を示した図である。図４（ｂ）はサイドバイサイド方式用のテストパターン画像を示した図である。このテストパターン画像においては、３Ｄ画像であることをユーザが確認できるように左目用画像と右目用画像に視差をつけてもよい。たとえば、赤色の画像は手前に飛び出させ、青色の画像は奥へ引っ込むような視差をつけて、どちらが手前で、どちらが奥にみえるかをユーザに問いあわせることもできる。見え方が期待値と異なる場合は、表示装置１０２の入力方式が違うか、あるいは、表示装置１０２の設定がなんらかの原因（たとえばメガネのシャッターの開閉タイミングが左右逆転している）で左右逆相の表示になっている可能性があると考えられる。
【００３９】
図４（ｃ）はサイドバイサイド方式用のテストパターン画像とサイドバイサイド方式用のＯＳＤ表示画像を合成した画像を示した図である。図４（ｄ）は表示装置の設定がサイドバイサイド方式の場合に表示装置に表示される左目用の画像を示した図である。図４（ｅ）は表示装置の設定がサイドバイサイド方式の場合に表示装置に表示される右目用の画像を示した図である。図４（ｆ）は表示装置の設定がサイドバイサイド方式の場合にユーザにより視認される画像（図４（ｄ）に示す画像と図４（ｅ）に示す画像を時間的に合成した画像）を示した図である。図４（ｄ）、（ｅ）では、表示装置１０２は、入力した画像（図４（ｃ）に示す画像）を、左半分と右半分に分割し、分割した画像を各々水平方向に２倍に拡大して左目用映像と右目用映像を生成し、生成した左目用映像と右目用映像を交互に出力する。テストパターン画像に視差を付けていない場合は、３Ｄメガネ１０３の装着の有無に関係なく、ユーザからは図４（ｆ）のように見える。テストパターン画像に視差を付けている場合において、ユーザが３Ｄメガネ１０３を装着していないときは、ＯＳＤ表示以外の部分は若干２重にぼやけて見える。
【００４０】
２．１．２  再生装置がトップアンドボトム方式、表示装置がサイドバイサイド方式の例
図５は、表示装置１０２の表示の設定がサイドバイサイド方式になっているが、再生装置１０１の出力方式が例えばユーザの設定間違いによりトップアンドボトム方式になっている場合の見え方を示した図である。図５（ａ）は表示すべき３Ｄ画像を示した図である。図５（ｂ）は、トップアンドボトム方式用のテストパターン画像である。図５（ｃ）は、トップアンドボトム方式用のテストパターン画像とトップアンドボトム方式のＯＳＤ表示画像を合成した画像である。図５（ｄ）は表示装置１０２の設定がサイドバイサイド方式である場合において、表示装置１０２に表示されるテスト画像である。
【００４１】
図１０は、前述した従来の場合の説明図である。図１０は、図５と同様に表示装置１０２の表示の設定がサイドバイサイド方式になっているが、再生装置１０１の出力方式がユーザの設定間違いにより、トップアンドボトム方式になっている場合を示す。図１０（ｄ）では、ＯＳＤ表示画像を水平方向に２倍に拡大することで、ＯＳＤ表示画像が折り返して重なってしまい、ＯＳＤ表示を構成する文字が判読困難になっている。これに対し、本実施の形態の図５（ｄ）の場合は、ＯＳＤ表示を構成する文字が折り返したりしないため、ＯＳＤ表示を構成する文字を判別することが出来る。
【００４２】
図５（ｄ）の場合、出力方式の設定が再生装置１０１と表示装置１０２で一致していないので、テストパターン画像は正しく表示されることはない。しかし、ＯＳＤ表示については判別することができるので、出力方式を正しく設定する方法などの案内を表示すれば、ユーザは出力方式を正しく設定することができる。これにより、ユーザは混乱せず、正しい設定に戻すことができる。
【００４３】
２．１．３  再生装置がサイドバイサイド方式、表示装置がトップアンドボトム方式の例
図６は、再生装置１０１の出力方式の設定がトップアンドボトム方式であり、表示装置１０２の表示の設定がトップアンドボトム方式である場合、つまり再生装置１０１の出力方式と表示装置１０２の入力方式が一致している場合のテストパターン画像の出画の様子を示す。
【００４４】
図６（ａ）は、テストパターン画像のデータにより表示されるべき３Ｄ画像である。図６（ａ）は、図４（ａ）と同じものである。図６（ｂ）はトップアンドボトム方式のテストパターン画像である。図６（ｃ）はトップアンドボトム方式用のテストパターン画像とＯＳＤ表示画像を合成した画像である。図６（ｄ）は表示装置１０２の設定がトップアンドボトム方式である場合において、表示装置１０２に表示されるテスト画像である。
【００４５】
図６（ｄ）では、表示装置１０２は、入力した画像（図６（ｃ）に示す画像）を、上半分と下半分に分割し、分割した画像を各々上下方向に２倍に拡大して左目用映像と右目用映像を生成し、生成した左目用映像と右目用映像を交互に出力する。テストパターン画像に視差を付けていない場合は、３Ｄメガネ１０３の装着の有無に関係なく、ユーザからは図６（ｄ）のように見える。テストパターン画像に視差を着けている場合において、ユーザが３Ｄメガネ１０３を装着していないときは、ＯＳＤ表示以外の部分は若干２重にぼやけて見える。
【００４６】
図１１は、前述した従来の場合の説明図である。図１１は、図７と同様に表示装置１０２の表示の設定がトップアンドボトム方式になっているが、再生装置１０１の出力方式がユーザの設定間違いにより、サイドバイサイド方式になっている場合を示す。図１０（ｄ）では、ＯＳＤ表示を上下方向に２倍に拡大することで、ＯＳＤ表示が上下に分離してしまい、メッセージの判読が困難になっている。これに対し、本実施の形態の図７（ｄ）の場合は、ＯＳＤ表示を構成する文字が上下に分離したりせず、ＯＳＤ表示のメッセージを判読することが出来る。
【００４７】
図７（ｄ）の場合、出力方式の設定が再生装置１０１と表示装置１０２で一致していないので、テストパターン画像は正しく表示されることはない。しかし、ＯＳＤ表示については判読ことができるので、出力方式を正しく設定する方法などの案内を表示すれば、ユーザは出力方式を正しく設定することができる。これにより、ユーザは混乱せず、正しい設定に戻すことができる。
【００４８】
３．まとめ
以上説明したように、本実施の形態の再生装置１０１は、ＯＳＤ表示画像を作成するＯＳＤ作成部２１０と、映像信号とＯＳＤ作成部２１０が作成したＯＳＤ表示画像とを合成するＯＳＤ合成部２０５と、ＯＳＤ合成部２０５でＯＳＤ表示画像が合成された映像信号を再生装置１０１の外部の立体表示可能な表示装置１０２へ出力可能なＨＤＭＩ出力部２０６と、を備え、ＯＳＤ合成部２０５は、再生装置１０１における３Ｄ画像の出力方式の設定がトップアンドボトム方式の場合は、ＯＳＤ合成部２０５に入力された映像における該映像を左右に２分する中心線を跨がない位置にＯＳＤ表示画像を配置する。
【００４９】
これにより、例えば、再生装置１０１の出力がトップアンドボトム方式であって、表示装置１０２の表示の設定がサイドバイサイド方式であった場合でも、ユーザはＯＳＤ表示を正確に理解することができる。よって、混乱せず、正しい設定に戻すなどの操作をすることが可能となる。
【００５０】
また、本実施の形態の再生装置１０１は、ＯＳＤ表示画像を作成するＯＳＤ作成部２１０と、映像信号とＯＳＤ作成部２１０が作成したＯＳＤ表示画像とを合成するＯＳＤ合成部２０５と、ＯＳＤ合成部２０５でＯＳＤ表示画像が合成された映像の信号を再生装置１０１の外部の立体表示可能な表示装置１０２へ出力可能なＨＤＭＩ出力部２０６と、を備え、ＯＳＤ合成部２０５は、再生装置１０１における３Ｄ映像の出力方式の設定がサイドバイサイド方式の場合は、ＯＳＤ合成部２０５に入力された映像における該映像を上下に２分する中心線を跨がない位置にＯＳＤ表示画像を配置する。
【００５１】
これにより、再生装置１０１における３Ｄ映像の出力方式がサイドバイサイド方式であって、表示装置１０２の表示の設定がトップアンドボトム方式であった場合でも、ユーザはＯＳＤ表示を正確に理解することができる。よって、ユーザは、混乱せず、正しい設定に戻すなどの操作をすることが可能となる。
【００５２】
このように、本実施形態によれば、再生装置と表示装置との間で３Ｄ映像の方式が異なる場合でも、表示装置に表示されているＯＳＤ表示の情報をユーザが正しく判別することが可能となる。
【００５３】
その他の実施の形態
３Ｄ映像の方式によらず、画面（テストパターン画像）を左右に２分する中心線と画面（テストパターン画像）を上下に２分する中心線とで区切られた１つの領域（つまり画面の４分の１の領域）のみにＯＳＤを表示してもよい。換言すれば、ＯＳＤ合成部２０５に入力された映像の右半分または左半分の領域で、かつ上半分または下半分の領域にＯＳＤ表示画像を合成してもよい。
【００５４】
これにより、再生装置１０１における３Ｄ映像の出力方式がトップアンドボトム方式であって表示装置１０２の表示の設定がサイドバイサイドであった場合、及び再生装置１０１における３Ｄ映像の出力方式がサイドバイサイド方式であって表示装置１０２の表示の設定がトップアンドボトム方式であった場合のいずれにおいても、ユーザはＯＳＤ表示を正確に理解することができる。よって、ユーザは混乱せず、正しい設定に戻すなどの操作をすることが可能となる。
【００５５】
ただし４分の１の領域にのみ表示した場合、ＯＳＤ表示は左目用画像または右目用画像のいずれか一方にしか表示されない。そのため、ユーザが３Ｄメガネ１０３を装着して３ＤでＯＳＤ表示を見た場合、片方の目でしかＯＳＤ表示が見えず、視認性が低下する。このような問題を可決するため、トップアンドボトム方式で出力する場合は、１／４に分割した４つの領域のうちの上半分の２つの領域または下半分の２つの領域において同じ位置に同じＯＳＤ表示を行うことが望ましい。また、サイドバイサイド方式で出力する場合は、１／４に分割した４つの領域のうちの左半分の２つの領域または右半分の２つの領域において同じ位置に同じＯＳＤ表示を行うことが望ましい。
【００５６】
つまり、１／４に分割する場合は、ＯＳＤ合成部２０５は、ＯＳＤ表示を、４つの領域のうちの２つの領域に、具体的には一つの領域の第１の位置と他の領域の第２の位置の少なくとも２箇所に配置してもよい。表示装置１０２の表示画面にＨＤＭＩ出力部２０６から出力された映像が立体表示される場合に、第１の位置に配置されたＯＳＤ表示と、第２の位置に配置されたＯＳＤ表示とは、表示される位置を一致させる必要がある。
【００５７】
これにより、ユーザはより高品質なＯＳＤ表示画像を視聴できる。
【００５８】
４つの領域に分割した場合、例えば左上の領域と右下の領域、または右上の領域と左下の領域にＯＳＤ表示画像を配置してもよい。この場合、各領域における配置位置を一致させなくても、ＯＳＤ表示画像同士が重なることはない。したがって、ＯＳＤ表示の内容を判読することができる。
【００５９】
また、本実施の形態で説明したようにＯＳＤ表示画像には、文字情報を含む画像を使った。つまり、ＯＳＤ表示画像は、文字情報を含む。文字は、絵や写真による表示と比較して、重なり合った場合にユーザはより認識が難しい。そのため、本実施の形態の再生装置１０１は、ＯＳＤ表示画像に文字を含む場合に特に有用である。なお、本実施形態の技術思想は、ＯＳＤ表示が絵や写真により構成されている場合にも適用可能であることはいうまでもない。
【００６０】
また、本実施の形態の再生装置１０１は、サイドバイサイド方式の画像データおよびトップアンドボトム方式の画像データを記憶するメモリ２０９を備え、ＯＳＤ合成部２０５がＯＳＤ表示画像と合成するテストパターン画像は、メモリ２０９に記憶されたサイドバイサイド方式の画像またはトップアンドボトム方式の画像から作成される。
【００６１】
このように、再生装置１０１はメモリ２０９から画像を読み出すので、新たに３Ｄ画像を作成する必要が無くなる。
【００６２】
また、本実施の形態の再生装置１０１は、ユーザによるテスト画像の表示の指示を受け付けるリモコン信号受信部２０８をさらに備え、リモコン信号受信部２０８が、ユーザによるテスト画像表示の指示を受け付けた場合に、ＨＤＭＩ出力部２０６はＯＳＤ合成部２０５で合成された画像を再生装置１０１の外部の表示装置１０２へ出力する。
【００６３】
これにより、ユーザは再生装置１０１に記録されているコンテンツを再生する前に、テスト画像により再生装置１０１及び表示装置１０２の設定が正しいか否かを認識することができる。
【００６４】
なお、本実施形態では、表示装置１０２の入力がトップアンドボトム方式やサイドバイサイド方式である場合に、例えば再生装置１０１からチェッカーボード方式、ラインバイライン方式等の、トップアンドボトム方式及びサイドバイサイド方式以外の方式の３Ｄ映像が出力された場合でも、ＯＳＤ表示を構成する文字などのメッセージを読めなくなることはない。
【００６５】
なお、本実施の形態においては、ＯＳＤ表示をテストパターン画像で行うことについて説明したが、これに限られるものではない。例えば、映画等の一般的なコンテンツの映像の表示時に上記ＯＳＤ表示を行ってもよい。
【００６６】
また、本実施の形態においては、出力部がＨＤＭＩ出力部２０６である場合について説明したが、これに限られるものではない。即ち、出力部は、３Ｄ方式の映像信号を出力できるものであればよい。
【００６７】
また、本実施の形態においては、再生装置がディスクを再生する再生装置である場合について説明したが、これに限られるものではない。すなわち、再生装置は、３Ｄ映像を出力できる装置であればよい。例えば、再生装置は、ＨＤＤやフラッシュメモリなど他の記録媒体に記録された３Ｄ映像データをデコードして出力する装置であっても良いし、３Ｄに対応した放送を受信して出力する装置であっても良い。
【００６８】
また、上記実施の形態では、ＯＳＤ表示画像はメモリ２０９に記録されたテストパターン画像である例を説明したが、必ずしも再生装置１０１側に記録されている必要は無い。ＯＳＤ表示画像は、例えば、ディスク２０１等、再生装置１０１で読み取り可能な記憶媒体に記憶された画像であっても良い。
【００６９】
上記実施の形態では、３Ｄ映像の各方式間での切換について説明した。しかし、ディスク２０１として、２Ｄコンテンツと３Ｄコンテンツとの両方が記録されたものが存在する。このようなものにおいては、ディスクに、２Ｄ用ＯＳＤ表示画像及び３Ｄ用ＯＳＤ表示画像を記録してもよい。図８は、２Ｄ映像コンテンツと３Ｄコンテンツとの両方が記録されたディスク２０１の構成図である。ディスク２０１には、２Ｄコンテンツ、３Ｄコンテンツ、２Ｄ用ＯＳＤ表示画像、及び３Ｄ用ＯＳＤ表示画像が記録されている。このようなディスク２０１においては、ＯＳＤ合成部２０５は、ディスク２０１から読み出した２Ｄ用ＯＳＤ表示画像及び３Ｄ用ＯＳＤ表示画像を、映像における所定の位置に配置する。３Ｄ用ＯＳＤ表示画像については、前述の実施の形態同様に配置する。一方、２Ｄ用ＯＳＤについては、どの位置に配置しても構わないが、例えば図９に示すように中央に配置する。このように、ＯＳＤ合成部２０５は、３Ｄコンテンツと２ＤコンテンツとでＯＳＤ表示の配置位置を変更する。
【産業上の利用可能性】
【００７０】
本発明は、３Ｄ対応の再生装置と３Ｄ対応の表示装置とを接続して使用する場合に、対応する３Ｄの出力方式をユーザが手動で設定するような場合に利用できる。
【符号の説明】
【００７１】
１０１    再生装置
１０２    表示装置
１０３    ３Ｄメガネ
２０１    ディスク
２０２    ディスクドライブ部
２０３    デコーダ
２０４    方式変換部
２０５    ＯＳＤ合成部
２０６    ＨＤＭＩ出力部
２０７    ＣＰＵ
２０８    リモコン信号受信部
２０９    メモリ
２１０    ＯＳＤ作成部
【図１】
2011172216.tif 000003
【図２】
2011172216.tif 000004
【図３】
2011172216.tif 000005
【図４】
2011172216.tif 000006
【図５】
2011172216.tif 000007
【図６】
2011172216.tif 000008
【図７】
2011172216.tif 000009
【図８】
2011172216.tif 000010
【図９】
2011172216.tif 000011
【図１０】
2011172216.tif 000012
【図１１】
2011172216.tif 000013